(57)【要約】【課題】本発明は簡単な構造でコンタクトの位置決めと振れ防止ができ、結露による接続不良が起こらない電気コネクタの提供。【解決手段】本目的は複数のコンタクト１２とフロントインサート１４とリアインサート１６と保持手段２２とシェル１８とリテナーリング２４とを備える電気コネクタにおいて、コンタクト１２の接続部１２５が挿入される挿入部２０２を有するブッシュ部材２０を設けると共にブッシュ部材２０をリアインサート１６の凹部１６２に装着し、かつ、リアインサート１６の突出片１６３の先端に外側に突出する係合部１６４を設けると共にフロントインサート１４の挿入凹部１４２に内側に突出する係止部１４３を設け、係合部１６４と係止部１４３を係合することで、コンタクト１２の位置決めと振れを防止し、かつ、沿面距離の対策と結露による接続不良防止をすることで達成できる。【選択図】  図９
2008305566.tif 000002
【特許請求の範囲】
【請求項１】
相手コネクタと着脱され、かつ、ケーブルが接続される電気コネクタであって、
一方端側に相手コネクタと接触する接触部と位置決めのための第一鍔部及び第二鍔部と前記第一鍔部と前記第二鍔部との間に位置する引っ掛かり部と他方端にケーブルと接続する接続部を有する複数のコンタクトと、
該コンタクトが配列・保持される挿入孔とケーブル接続側で前記挿入孔と連設する挿入凹部を有するフロントインサートと、
該フロントインサートのケーブル接続側に配置され、前記コンタクトが配列・保持される挿入穴と前記コンタクトの第二鍔部が入る凹部と前記フロントインサートの前記挿入凹部に入る突出片を有するリアインサートと、
前記コンタクトを前記リアインサートへ保持する保持手段と、
前記相手コネクタが挿入される嵌合口と相手コネクタとの係合手段と筐体へ固定するためのフランジ部を有するシェルと、
前記フロントインサートと前記リアインサートを前記シェルに挟持するリテナーリングとを備える電気コネクタにおいて、
前記コンタクトの接続部が挿入される挿入部を有するブッシュ部材を設け、前記ブッシュ部材を前記リアインサートの前記凹部に装着することで前記コンタクトの位置決め、かつ、振れを防止することを特徴とする電気コネクタ。
【請求項２】
相手コネクタと着脱され、かつ、ケーブルが接続される電気コネクタであって、
一方端側に相手コネクタと接触する接触部と位置決めのための第一鍔部及び第二鍔部と前記第一鍔部と前記第二鍔部との間に位置する引っ掛かり部と他方端にケーブルと接続する接続部を有する複数のコンタクトと、
該コンタクトが配列・保持される挿入孔とケーブル接続側で前記挿入孔と連設する挿入凹部を有するフロントインサートと、
該フロントインサートのケーブル接続側に配置され、前記コンタクトが配列・保持される挿入穴と前記コンタクトの第二鍔部が入る凹部と前記フロントインサートの前記挿入凹部に入る突出片を有するリアインサートと、
前記コンタクトを前記リアインサートへ保持する保持手段と、
前記相手コネクタが挿入される嵌合口と相手コネクタとの係合手段と筐体へ固定するためのフランジ部を有するシェルと、
前記フロントインサートと前記リアインサートを前記シェルに挟持するリテナーリングとを備える電気コネクタにおいて、
前記リアインサートの突出片の先端に外側に突出する係合部を設け、前記フロントインサートの挿入凹部に内側に突出する係止部を設け、前記係合部と前記係止部を係合することで沿面距離の対策と結露による接続不良防止をすることを特徴とする電気コネクタ。
【請求項３】
前記ブッシュ部材に前記挿入部と連設するスリットを設けるとともに前記ブッシュ部材に弾性を持たせ、前記コンタクトの接続部に保持し易くすることを特徴とする請求項１記載の電気コネクタ。
【請求項４】
前記係合部と前記係止部の先端を略半球状にすることを特徴とする請求項２記載の電気コネクタ。
【請求項５】
前記保持手段を前記リアインサートと一体にすることを特徴とする請求項１、２または３、４記載の電気コネクタ。
【請求項６】
前記保持手段は略くの字形状をした複数の櫛羽を設けることを特徴とする請求項５記載の電気コネクタ。
【請求項７】
前記フランジ部を長方形にするとともに前記嵌合口の中心を前記フランジ部の中心からずらすことを特徴とする請求項１から６項のうちいずれか１記載の電気コネクタ。
【発明の詳細な説明】
【技術分野】
【０００１】
本発明は、産業機器や電子・電気機器等に用いられるケーブル付きの電気コネクタに関するもので、特に簡単な構造でコンタクトの位置決めと振れ防止ができ、結露による接続不良が起こらない構造に関するものである。
【背景技術】
【０００２】
従来の電気コネクタについて説明する。前記電気コネクタは少なくとも一方端側に相手コネクタと接触する接触部と位置決めのための第一鍔部及び第二鍔部と前記第一鍔部と前記第二鍔部との間に位置する引っ掛かり部と他方端にケーブルと接続する接続部を有する複数のコンタクトと、該コンタクトが配列・保持される挿入孔とケーブル接続側で前記挿入孔と連設する挿入凹部を有するフロントインサートと、該フロントインサートのケーブル接続側に配置され、前記コンタクトが配列・保持される挿入穴と前記コンタクトの第二鍔部が入る凹部と前記フロントインサートの前記挿入凹部に入る突出片を有するリアインサートと、前記コンタクトを前記リアインサートへ保持する保持手段と、前記相手コネクタが挿入される嵌合口と相手コネクタとの係合手段と筐体へ固定するためのフランジ部を有するシェルと、前記フロントインサートと前記リアインサートを前記シェルに挟持するリテナーリングとを備えている。
下記にケーブル付きの電気コネクタとして、本出願人が提案した特許文献１（特開２００５−２８５３３３）と特許文献２（特開平１０−２２３２９７号）を例示する。
【特許文献１】特許文献１の特開２００５−２８５３３３の要約によると、ピッチの狭小化が進んでも、簡単に組み立てすることができ、コストアップにもならないリアリリーズ構造の単体防水コネクタを提供することを目的とし、レセプタクルシェル６０と中間インサート３０とフロントインサート２０とリアインサート４０と３つのインサート２０、３０、４０をフロント２０、中間３０、リア４０の順でレセプタクルシェル６０に固定するリテナーリング７０とリアリリーズ構造のインサートに装着されるクリンプピンコンタクト５０とを具えた単体防水クリンプコネクタ１０において、フロントインサート２０若しくは中間インサート３０の中間インサート３０側若しくはフロントインサート２０側に少なくとも１個以上の係合手段を設け、中間インサート３０若しくはフロントインサート２０にフロントインサート２０若しくは中間インサート３０の係合手段に対応する位置に係止手段を設ける構造の単体防水コネクタが開示されている。
【特許文献２】特許文献２の特開平１０−２２３２９７号の要約によると、クリンプピンコンタクトの装着が確実、かつ容易な単体防水クリンプコネクタを提供することを目的とし、レセプタクルシェル１と、複数のクリンプピンコンタクト１５の挿入孔を有する絶縁材料よりなる中間インサート１２と、中間インサート１２と同数のクリンプピンコンタクト１５の挿入孔を有すると共に、中間インサート１２に固着されて中間インサート１２と一体的に形成されたフロントインサート１３と、中間インサート１２と同数のクリンプピンコンタクトの挿入通孔を有すると共に、該挿入孔にはコンタクトリテンション１４ｂが設けられる絶縁材料よりなるリアインサート１４と、中間インサート１２、フロントインサート１３及びリアインサート１４をレセプタクルシェル１に固定するリテナーリング６と、前記各インサートの挿入孔に装着されるクリンプピンコンタクトとを備えている構造の単体防水クリンプコネクタが開示されている。
【発明の開示】
【発明が解決しようとする課題】
【０００３】
産業機器や電子・電気機器等に用いられるケーブル付きの電気コネクタは、コンタクトの接続部の構造上、前記コンタクトと前記リアインサートの凹部との間にクリアランスが生じてしまうため、前記コンタクトが保持部分（前記フロントインサートの挿入孔部分）を支点にして振れてしまい、相手コネクタとの嵌合時に前記コンタクトの破損や接続不良に繋がり兼ねないといった課題があった。
また、結露が発生した場合に、接続不良に繋がらないように、前記フロントインサートと前記リアインサートとの間にシリコンを塗布してほしいという要望があった。しかし、シリコンを塗布するのは、工数がかかり、非常に手間で、コストアップに繋がってしまうといった課題もあった。
さらに、前記コンタクトを前記リアインサートへ保持するための保持手段を別部品にしているが、別部品では組み立て工数のアップや管理工数のアップに繋がってしまう。
上述した特許文献１及び特許文献２は、目的が相違し、文献のような構造では、課題の解決には繋がらない。
【０００４】
本発明は、このような従来の問題点に鑑みてなされたもので、簡単な構造でコンタクトの位置決めと振れ防止ができ、結露による接続不良が起こらない電気コネクタを提供せんとするものである。
【課題を解決するための手段】
【０００５】
上記目的は、請求項１のように、相手コネクタと着脱され、かつ、ケーブル６０が接続される電気コネクタ１０であって、一方端側に相手コネクタと接触する接触部１２１と位置決めのための第一鍔部１２２及び第二鍔部１２４と前記第一鍔部１２２と前記第二鍔部１２４との間に位置する引っ掛かり部１２３と他方端にケーブル６０と接続する接続部１２５を有する複数のコンタクト１２と、該コンタクト１２が配列・保持される挿入孔１４１とケーブル接続側で前記挿入孔１４１と連設する挿入凹部１４２を有するフロントインサート１４と、該フロントインサート１４のケーブル接続側に配置され、前記コンタクト１２が配列・保持される挿入穴１６１と前記コンタクト１２の第二鍔部１２４が入る凹部１６２と前記フロントインサート１４の前記挿入凹部１４２に入る突出片１６３を有するリアインサート１６と、前記コンタクト１２を前記リアインサート１６へ保持する保持手段２２と、前記相手コネクタが挿入される嵌合口４０と相手コネクタとの係合手段１８２と筐体８０へ固定するためのフランジ部１８１を有するシェル１８と、前記フロントインサート１４と前記リアインサート１６を前記シェル１８に挟持するリテナーリング２４とを備える電気コネクタにおいて、前記コンタクト１２の接続部１２５が挿入される挿入部２０２を有するブッシュ部材２０を設け、前記ブッシュ部材２０を前記リアインサート１６の前記凹部１６２に装着することで前記コンタクト１２の位置決め、かつ、振れを防止することを特徴とする電気コネクタにより達成できる。
【０００６】
また、上記目的は、請求項２のように、相手コネクタと着脱され、かつ、ケーブル６０が接続される電気コネクタ１０であって、一方端側に相手コネクタと接触する接触部１２１と位置決めのための第一鍔部１２２及び第二鍔部１２４と前記第一鍔部１２２と前記第二鍔部１２４との間に位置する引っ掛かり部１２３と他方端にケーブル６０と接続する接続部１２５を有する複数のコンタクト１２と、該コンタクト１２が配列・保持される挿入孔１４１とケーブル接続側で前記挿入孔１４１と連設する挿入凹部１４２を有するフロントインサート１４と、該フロントインサート１４のケーブル接続側に配置され、前記コンタクト１２が配列・保持される挿入穴１６１と前記コンタクト１２の第二鍔部１２４が入る凹部１６２と前記フロントインサート１４の前記挿入凹部１４２に入る突出片１６３を有するリアインサート１６と、前記コンタクト１２を前記リアインサート１６へ保持する保持手段２２と、前記相手コネクタが挿入される嵌合口４０と相手コネクタとの係合手段１８２と筐体８０へ固定するためのフランジ部１８１を有するシェル１８と、前記フロントインサート１４と前記リアインサート１６を前記シェル１８に挟持するリテナーリング２４とを備える電気コネクタにおいて、前記リアインサート１６の突出片１６３の先端に外側に突出する係合部１６４を設け、前記フロントインサート１４の挿入凹部１４２に内側に突出する係止部１４３を設け、前記係合部１６４と前記係止部１４３を係合することで沿面距離の対策と結露による接続不良防止をすることを特徴とする電気コネクタにより達成できる。
【０００７】
請求項３記載の電気コネクタ１０は、前記ブッシュ部材２０に前記挿入部２０２と連設するスリット２０１を設けるとともに前記ブッシュ部材２０に弾性を持たせ、前記コンタクト１２の接続部１２５に保持し易くすることを特徴とする請求項１記載の電気コネクタ１０にある。
また、請求項４記載の電気コネクタ１０は、前記係合部１６４と前記係止部１４３の先端を略半球状にすることを特徴とする請求項２記載の電気コネクタ１０にある。
さらに、請求項５記載の電気コネクタ１０は、前記保持手段２２を前記リアインサート１６と一体にすることを特徴とする請求項１、２または３、４記載の電気コネクタ１０にある。
【０００８】
請求項６記載の電気コネクタ１０は、前記保持手段２２は略くの字形状をした複数の櫛羽２２１を設けることを特徴とする請求項５記載の電気コネクタ１０にある。
また、請求項７記載の電気コネクタ１０は、前記フランジ部１８１を長方形にするとともに前記嵌合口４０の中心を前記フランジ部１８１の中心からずらすことを特徴とする請求項１から６項のうちいずれか１記載の電気コネクタ１０にある。
【発明の効果】
【０００９】
以上の説明から明らかなように、ケーブル４０に接続される電気コネクタ１０によると、次のような優れた顕著な効果が得られる。
（１）請求項１記載の電気コネクタ１０は、相手コネクタと着脱され、かつ、ケーブル６０が接続される電気コネクタ１０であって、一方端側に相手コネクタと接触する接触部１２１と位置決めのための第一鍔部１２２及び第二鍔部１２４と前記第一鍔部１２２と前記第二鍔部１２４との間に位置する引っ掛かり部１２３と他方端にケーブル６０と接続する接続部１２５を有する複数のコンタクト１２と、該コンタクト１２が配列・保持される挿入孔１４１とケーブル接続側で前記挿入孔１４１と連設する挿入凹部１４２を有するフロントインサート１４と、該フロントインサート１４のケーブル接続側に配置され、前記コンタクト１２が配列・保持される挿入穴１６１と前記コンタクト１２の第二鍔部１２４が入る凹部１６２と前記フロントインサート１４の前記挿入凹部１４２に入る突出片１６３を有するリアインサート１６と、前記コンタクト１２を前記リアインサート１６へ保持する保持手段２２と、前記相手コネクタが挿入される嵌合口４０と相手コネクタとの係合手段１８２と筐体８０へ固定するためのフランジ部１８１を有するシェル１８と、前記フロントインサート１４と前記リアインサート１６を前記シェル１８に挟持するリテナーリング２４とを備える電気コネクタにおいて、前記コンタクト１２の接続部１２５が挿入される挿入部２０２を有するブッシュ部材２０を設け、前記ブッシュ部材２０を前記リアインサート１６の前記凹部１６２に装着することで前記コンタクト１２の位置決め、かつ、振れを防止することを特徴とする電気コネクタにしているので、前記コンタクト１２が振れることがなく、位置決めも確実にできるため、前記コンタクト１２の破損もなく、接続不良に繋がることもない。
（２）請求項２記載の電気コネクタ１０は、相手コネクタと着脱され、かつ、ケーブル６０が接続される電気コネクタ１０であって、一方端側に相手コネクタと接触する接触部１２１と位置決めのための第一鍔部１２２及び第二鍔部１２４と前記第一鍔部１２２と前記第二鍔部１２４との間に位置する引っ掛かり部１２３と他方端にケーブル６０と接続する接続部１２５を有する複数のコンタクト１２と、該コンタクト１２が配列・保持される挿入孔１４１とケーブル接続側で前記挿入孔１４１と連設する挿入凹部１４２を有するフロントインサート１４と、該フロントインサート１４のケーブル接続側に配置され、前記コンタクト１２が配列・保持される挿入穴１６１と前記コンタクト１２の第二鍔部１２４が入る凹部１６２と前記フロントインサート１４の前記挿入凹部１４２に入る突出片１６３を有するリアインサート１６と、前記コンタクト１２を前記リアインサート１６へ保持する保持手段２２と、前記相手コネクタが挿入される嵌合口４０と相手コネクタとの係合手段１８２と筐体８０へ固定するためのフランジ部１８１を有するシェル１８と、前記フロントインサート１４と前記リアインサート１６を前記シェル１８に挟持するリテナーリング２４とを備える電気コネクタにおいて、前記リアインサート１６の突出片１６３の先端に外側に突出する係合部１６４を設け、前記フロントインサート１４の挿入凹部１４２に内側に突出する係止部１４３を設け、前記係合部１６４と前記係止部１４３を係合することで沿面距離の対策と結露による接続不良防止をすることを特徴とする電気コネクタにしているので、沿面距離も確保でき、簡単な構造で、確実なシールをすることで、結露による接続不良の防止ができる。
（３）請求項３記載の電気コネクタ１０は、前記ブッシュ部材２０に前記挿入部２０２と連設するスリット２０１を設けるとともに前記ブッシュ部材２０に弾性を持たせ、前記コンタクト１２の接続部１２５に保持し易くすることを特徴とする請求項１記載の電気コネクタ１０にしているので、前記ブッシュ部材２０を容易に前記コンタクト１２に保持でき、前記コンタクトが振れることがなく、位置決めも確実にできるため、前記コンタクト１２の破損もなく、接続不良に繋がることもない。
（４）請求項４記載の電気コネクタ１０は、前記係合部１６４と前記係止部１４３の先端を略半球状にすることを特徴とする請求項２記載の電気コネクタ１０にしているので、確実なシールができ、結露による接続不良の防止ができる。
（５）請求項５記載の電気コネクタ１０は、前記保持手段２２を前記リアインサート１６と一体にすることを特徴とする請求項１、２または３、４記載の電気コネクタ１０にしているので、組み立ても簡単で、管理も楽になり、コストアップに繋がらない。
（６）請求項６記載の電気コネクタ１０は、前記保持手段２２は略くの字形状をした複数の櫛羽２２１を設けることを特徴とする請求項５記載の電気コネクタ１０にしているので、前記コンタクト１２を確実に前記リアインサート１６に保持できる。
（７）請求項７記載の電気コネクタ１０は、前記フランジ部１８１を長方形にするとともに前記嵌合口４０の中心を前記フランジ部１８１の中心からずらすことを特徴とする請求項１から６項のうちいずれか１記載の電気コネクタ１０にしているので、前記電気コネクタ１０を筐体８０に取付た際に、スペースを有効に活用することで、簡単にケーブル６０を振り分けできる。
【発明を実施するための最良の形態】
【００１０】
図１から図１０に基づいて、本発明の電気コネクタの一実施例について説明する。
図１（Ａ）は本発明の電気コネクタを嵌合方向よりみた斜視図であり、（Ｂ）本発明の電気コネクタをケーブル突出方向よりみた斜視図である。図２は本発明の縦断面図であり、図３はコンタクトの斜視図である。図４（Ａ）は嵌合口側からみたブッシュ部材の斜視図であり、（Ｂ）はケーブル側からみたブッシュ部材の斜視図である。図５（Ａ）は嵌合口側からみたリアインサートの斜視図であり、（Ｂ）はケーブル側からみたリアインサートの斜視図である。図６（Ａ）は嵌合口側からみたフロントインサートの斜視図であり、（Ｂ）はケーブル側からみたフロントインサートの斜視図である。図７（Ａ）は嵌合口側からみたシェルの斜視図であり、（Ｂ）はケーブル側からみたシェルの斜視図である。図８はリテナーリングの斜視図である。図９（Ａ）は嵌合口側からみたフロントインサートとコンタクトとリナンサートとブッシュ部材とリテナーリングの斜視図であり、（Ｂ）はケーブル側からみたリテナーリングとブッシュ部材とリアインサートとコンタクトとフロントインサートの斜視図である。図１０はケーブルを纏めた状態を説明する図面である。
本発明の電気コネクタ１０は、少なくとも複数のコンタクト１２とフロントインサート１４とリアインサート１６とシェル１８とブッシュ部材２０とリテナーリング２４とを備えている。
【００１１】
図１から図１０に基づいて本発明の電気コネクタ１０の構成部品について説明する。
まず、本発明のポイントであるブッシュ部材２０について説明する。図４のように、前記ブッシュ部材２０は略円筒形をしており、前記コンタクト１２に装着することで、前記コンタクト１２の振れを防止し、かつ、確実な位置決めを行うものである。前記ブッシュ部材２０は、電気絶縁性のプラスチックであり、公知技術の射出成形によって製作され、この材質としてはバネ性や寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ブッシュ部材２０は、少なくとも前記コンタクト１２及び前記ケーブル６０が挿入される挿入部２０２と前記コンタクト１２及び前記ケーブル６０を挿入し易くするためのスリット２０１と前記リアインサート１６に固定するための圧入部２０３を有している。
【００１２】
前記ブッシュ部材２０の役割は、前記コンタクト１２の接続部１２５と前記リアインサート１６の凹部１６２との間にクリアランスがある場合に、前記ブッシュ部材２０を前記コンタクト１２に装着し、前記コンタクト１２の接続部１２５と前記リアインサート１６の凹部１６２とのクリアランスを前記ブッシュ部材２０で補完することで、前記コンタクト１２の振れを防止するとともに確実な位置決めを行うものである。
【００１３】
前記挿入部２０２は、前記ケーブル６０が接続された前記コンタクト１２が挿入できればよく、形状や大きさは上記役割や前記コンタクト１２の形状・大きさや加工性等を考慮して適宜設計する。
前記スリット２０１は、前記ケーブル６０を接続した後に接続された状態の前記コンタクト１２を前記ブッシュ部材２０に入れるため、前記ケーブル６０が接続した前記コンタクト１２を入れ易く、かつ、入れ易いように前記ブッシュ部材２０に弾性（バネ性）を持たせるものである。前記スリット２０１の形状・大きさはこのような役割とバネ性と加工性等を考慮して適宜設計する。
【００１４】
前記圧入部２０３は、前記コンタクト１２が装着された状態の前記ブッシュ部材２０が前記リアインサート１６の凹部１６２に固定できればよく、その大きさ・形状は前記ブッシュ部材２０の保持力や加工性等を考慮して適宜設計する。本実施例では前記ブッシュ部材２０の外周に３つの帯状の突起を設けている。
【００１５】
次に、前記フロントインサート１４について説明する。前記フロントインサート１４は図６のように略円筒形をしている。前記フロントインサート１４は電気絶縁性のゴムであり、公知技術のコンプレッション成形によって製作され、この材質としては弾性や寸法安定性や加工性やコスト等を考慮して適宜選択するが、一般的にはシリコンゴムやニトリルゴムやクロロプレンゴムやこれらの合成材料を挙げることができる。
前記フロントインサート１４には、嵌合口側で相手物と前記コンタクト１２が接触できる位置に所要数の挿入孔１４１が設けられ、前記ケーブル接続側で前記挿入孔１４１に連設する挿入凹部１４２が設けられている。前記挿入孔１４１の嵌合口側先端には突部１４４が設けられ、前記挿入凹部１４２の開口部先端側には係止部１４３が設けられている。また、前記フロントインサート１４の外周には、前記シェル１８の第二段部１８４と係合することで、前記フロントインサート１４が嵌合口側に突出しないような位置決めとして、第一段部１４５が設けられている。
【００１６】
前記係止部１４３は、前記リアインサート１６の突出片１６３の係合部１６４と係合することで、結露が発生しても確実に接続不良が起こらないようにシールするものである。前記係止部１４３の形状としては、確実なシールを行うために、本実施例では略半球状にしている。前記係止部１４３の大きさは、上記役割や加工性やシール性等を考慮して適宜設計する。
前記挿入孔１４１は前記コンタクト１２が挿入できればよく、材質としてゴムを用いることで前記コンタクト１２との密着性を上げている。密着性を上げるため、前記挿入孔１４１の大きさは前記コンタクト１２より挿入できる範囲で幾分小さくしている。さらに、密着性を高めるために、突部１４４が設けられている。
【００１７】
前記挿入凹部１４２は前記リアインサート１６の前記突出片１６３が入ればよく、その形状・大きさはシール性や上記役割や沿面距離や加工性や強度等を考慮して適宜設計する。
【００１８】
次に、前記リアインサート１６について説明する。前記リアインサート１６は図５のように略円筒形をしている。前記リアインサート１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記リアインサート１６には、ケーブル接続部側に前記ブッシュ部材２０が挿入される凹部１６２が設けられている。前記凹部１６２の形状・大きさは前記ブッシュ部材２０が挿入でき、前記ブッシュ部材２０の役割が満足できればよく、前記ブッシュ部材２０の役割や保持力やコネクタの小型化や前記リアインサート１６の強度や加工性等を考慮して適宜設計している。
【００１９】
前記リアインサート１６には、前記フロントインサート１４の挿入凹部１４２に入る略円筒形に突出した突出片１６３と該突出片１６３の先端に係合部１６４とが設けられている。前記突出片１６３と前記係合部１６４の役割は、前記フロントインサート１４の挿入凹部１４２に入り、前記係合部１６４と前記係止部１４３とが係合することで、結露が発生しても確実に前記フロントインサート１４と前記リアインサート１６とを密着させることにより結露による接続不良が起こらないようにするものである。そのため、前記係合部１６４は外側に突出させ、密着性を良くするために断面略半球状にしている。前記突出片１６３と前記係合部１６４の形状・大きさは、このような役割やシール性や強度や加工性等を考慮して適宜設計している。
【００２０】
前記リアインサート１６には、前記突出片１６３の内側に、保持手段２２が一体に設けられている。前記保持手段２２としては、３枚の櫛羽２２１を設けて、その先端を内側に突出させ、その突出させた部分を前記コンタクト１２の引っ掛かり部１２３に引っ掛けて保持している。３枚の櫛羽２２１をそれぞれ分割させることで、前記櫛羽２２１に弾性を持たせており、３枚の前記櫛羽２２１は引っ掛かりを良くするために、先端部分が窄まった形状をしている。
【００２１】
前記リアインサート１６の前記保持手段２２（前記櫛羽２２１）の内側には、前記コンタクト１２が挿入される挿入穴１６１が設けられている。前記装着穴１６１の形状や大きさは、前記コンタクト１２が挿入できればよく、前記コンタクト１２に沿って、前記電気コネクタ１０の小型化を考慮して適宜設計する。
【００２２】
次に、コンタクト１２について説明する。前記コンタクト１２は図３のように略棒状をしており、前記コンタクト１２は金属製であり、公知技術の切削加工によって製作されている。前記コンタクト１２の材質としては、寸法安定性や導電性などが要求されるので、黄銅やベリリウム銅やリン青銅等を挙げることができる。前記コンタクト１２は主に一端側に相手コネクタと接触する接触部１２１と、他端側にケーブル６０に接続する接続部１２５と、前記接触部１２１と前記接続部１２５との間に、２つの第一鍔部１２２及び第二鍔部１２４と、前記第一鍔部１２２と前記第二鍔部１２４との間に位置する引っ掛かり部とを有している。前記コンタクト１２は圧入によって前記フロントインサート１４に固定されている。
【００２３】
前記接触部１２１は、相手コネクタと接触する部分であり、相手コネクタとの接触性や形状や接触力等を考慮して適宜設計している。本実施例ではピン形状にしているが、同様の構成を備えれば、ソケット形状であってもよい。
前記第一鍔部１２２と前記第二鍔部１２４は、前記フロントインサート１４と前記リアインサート１６に前記コンタクト１２を挿入する際の位置決め部分であり、このような役割を考慮して、形状と大きさを適宜設計している。
【００２４】
前記接続部１２５は、前記ケーブル６０が結線される部分であり、形状・大きさは結線方法によって適宜設計している。本実施例では、圧着によって結線している。
前記引っ掛かり部１２３は、前記リアインサート１６の保持手段２２が引っ掛かる部分であり、前記保持手段２２が引っ掛かればよく、形状・大きさは前記保持手段２２との保持力等を考慮して適宜設計している。
【００２５】
次に、シェル１８について説明する。このシェル１８は金属製であり、公知技術の切削加工やダイキャスト成型等によって製作され、この材質としては寸法安定性や加工性やコスト等を考慮して適宜選択するが、一般的には亜鉛合金やアルミニウム合金等を挙げることができる。
前記シェル１８は、図７のように、略円筒形をした本体部１８６と略板状形をしたフランジ部１８１を有している。前記フランジ部１８１は図１０のように筐体８０にネジによって固定される部分であり、所定の位置にネジを挿入するための孔１８５が設けられている。本実施例では、前記孔１８５は前記フランジ部１８１の四隅に４箇所設けている。
【００２６】
前記本体部１８６は略筒状をしており、図７のように穴が貫通し、前記穴に保持された前記フロントインサート１４と前記穴（前記本体部１８６）とで、相手コネクタが入る嵌合口４０を形成している。
前記本体部１８６の嵌合側の外周部分には、相手コネクタと係合するための略Ｒ形状をした係合手段１８２が設けられている。前記係合手段１８２は円周を均等するように３箇所に設けられている。前記係合手段１８２を略Ｒ形状にすることで、相手コネクタの凸部形状部分が略Ｒ形状部分に挿入するだけで、ワンタッチで係合できるようになっている。
【００２７】
前記シェル１８の穴内には、所定の位置に前記リテナーリング２４が入り、前記リテナーリング２４により前記フロントインサート１４と前記リアインサート１６を固定するための溝部１８３が設けられている。前記溝部１８３の形状・大きさは前記リテナーリング２４が入ればよく、前記フロントインサート１４と前記リアインサート１６を固定できるように適宜設計している。
前記シェル１８の穴内には、所定の位置に前記フロントインサート１４の第一段部１４５と係合する第二段部１８４が設けられている。前記第二段部１８４は前記フロントインサート１４が嵌合口側に突出しないような位置決めと同時に、前記第二段部１８４と前記リテナーリング２４とで前記フロントインサート１４と前記リアインサート１６を挟持する役割をもっている。
前記溝部１８３と第二段部１８４の位置は、前記フロントインサート１４と前記リアインサート１６が固定でき、かつ、相手コネクタと嵌合できるように適宜設計している。
図１０のように、前記ケーブル６０の処理を考慮して、前記シェル１８の本体部１８６の中心を前記フランジ部１８１の中心からずらしている。ずらすことで、前記電気コネクタ１０を筐体８０に取り付けた際に、前記ケーブル６０を効率よく収納できるようにしている。前記本体部１８６と前記フランジ部１８１の中心のずらし量としては、前記ケーブル６０の処理を考慮して適宜設計する。
【００２８】
最後に、リテナーリング２４について説明する。このリテナーリング２４は略Ｃ字形状をしている。前記リテナーリング２４は金属製であり、公知技術のフォーミング加工やコイリング加工によって製作され、この材質としては寸法安定性や加工性やコスト等を考慮して適宜選択するが、一般的にはベリリウム銅やりん青銅等の銅合金を挙げることができる。前記リテナーリング２４は略円筒形状をしており、前記リテナーリング２４の役割は前記フロントインサート１４と前記リアインサート１６とを、前記リテナーリングを前記シェル１８の溝部１８３に入れることで、前記シェル１８の第二段部１８４と前記リテナーリング２４で挟持し、前記フロントインサート１４と前記リアインサート１６とを前記シェル１８に固定するものである。前記リテナーリング２４の大きさは、このような役割と強度と加工性等を考慮しおて、前記シェル１８の溝部１８３に入るように適宜設計している。
【００２９】
本実施例においては、ピン形状タイプのコンタクト１２を用いるピンコネクタについて説明したが、上述したような構造であれば、ソケット形状タイプのコンタクトを用いたソケットコネクタ（図示せず）であってもよいことは言うまでもない。
【産業上の利用可能性】
【００３０】
本発明の活用例としては、産業機器や電子・電気機器等に用いられるケーブル付きの電気コネクタに活用され、特に簡単な構造でコンタクトの位置決めと振れ防止ができ、結露による接続不良が起こらない構造に関するものである。
【図面の簡単な説明】
【００３１】
【図１】（Ａ）  本発明の電気コネクタを嵌合方向よりみた斜視図である。（Ｂ）  本発明の電気コネクタをケーブル突出方向よりみた斜視図である。
【図２】本発明の縦断面図である。
【図３】コンタクトの斜視図である。
【図４】（Ａ）  嵌合口側からみたブッシュ部材の斜視図である。（Ｂ）  ケーブル側からみたブッシュ部材の斜視図である。
【図５】（Ａ）  嵌合口側からみたリアインサートの斜視図である。（Ｂ）  ケーブル側からみたリアインサートの斜視図である。
【図６】（Ａ）  嵌合口側からみたフロントインサートの斜視図である。（Ｂ）  ケーブル側からみたフロントインサートの斜視図である。
【図７】（Ａ）  嵌合口側からみたシェルの斜視図である。（Ｂ）  ケーブル側からみたシェルの斜視図である。
【図８】リテナーリングの斜視図である。
【図９】（Ａ）  嵌合口側からみたフロントインサートとコンタクトとリナンサートとブッシュ部材とリテナーリングの斜視図である。（Ｂ）  ケーブル側からみたリテナーリングとブッシュ部材とリナンサートとコンタクトとフロントインサートの斜視図である。
【図１０】ケーブルを纏めた状態を説明する図面である。
【符号の説明】
【００３２】
１０      電気コネクタ
１２      コンタクト
１２１    接触部
１２２    第一鍔部
１２３    引っ掛かり部
１２４    第二鍔部
１２５    接続部
１４      フロントインサート
１４１    挿入孔
１４２    挿入凹部
１４３    係止部
１４４    突部
１４５    第一段部
１６      リアインサート
１６１    挿入穴
１６２    凹部
１６３    突出片
１６４    係合部
１８      シェル
１８１    フランジ部
１８２    係合手段
１８３    溝部
１８４    第二段部
１８５    孔
１８６    本体部
２０      ブッシュ部材
２０１    スリット
２０２    挿入部
２０３    圧入部
２２      保持手段
２２１    櫛羽
２４      リテナーリング
４０      嵌合口
６０      ケーブル
８０      筐体
【図１】
2008305566.tif 000003
【図２】
2008305566.tif 000004
【図３】
2008305566.tif 000005
【図４】
2008305566.tif 000006
【図５】
2008305566.tif 000007
【図６】
2008305566.tif 000008
【図７】
2008305566.tif 000009
【図８】
2008305566.tif 000010
【図９】
2008305566.tif 000011
【図１０】
2008305566.tif 000012